(57)【要約】【要約書】【課題】  重量物であるゴミ袋を持ち上げることなく容易かつ確実に取り出すことができ、ゴミ処理作業の簡便化を図ることができるゴミ箱を提供する。【解決手段】ゴミ袋載置面を上面に有する台座（１０）と、同台座（１０）上に着脱自在に設置される上下端が開口したゴミ袋収納筒体（１１）とを具備し、同ゴミ袋収納筒体（１１）を、上端より下端に向けて横断面積が漸次拡開するテーパ形状としている。従って、ゴミ袋収納筒体（１１）を単に傾斜するだけでゴミ袋（１４）との接触状態から容易に開放できる。従って、ゴミ袋収納筒体（１１）を台座（１０）及びゴミ袋（１４）から容易かつ円滑に取り外すことができ、その後、台座（１０）上のゴミ袋（１４）を略水平に取り外して容易に持ち運び、廃棄することができる。【選択図】    図３
2005082261.tif 000002
【特許請求の範囲】
【請求項１】
ゴミ袋載置面を上面に有する台座と、同台座上に着脱自在に設置される上下端が開口したゴミ袋収納筒体とを具備し、同ゴミ袋収納筒体を、上端より下端に向けて横断面積が漸次拡開するテーパ形状としたことを特徴とするゴミ箱。
【請求項２】
前記ゴミ袋収納筒体は、網製筒体から構成したことを特徴とする請求項1記載のゴミ箱。
【請求項３】
前記ゴミ袋収納筒体を、上下方向に間隔をあけて同軸上に配置した複数の環状横桟部材と、前記複数の環状横桟部材の周方向に間隔をあけて配置し、前記環状横桟部材同士を連結する複数の縦桟部材とによって構成したことを特徴とする請求項1記載のゴミ箱。
【請求項４】
前記台座の上端周縁部に第1嵌合部を設け、前記ゴミ袋収納筒体の下端周縁部に、第1嵌合部と着脱自在に嵌合する前記第２嵌合部を設けたことを特徴とする請求項１〜３のうち、いずれかの請求項記載のゴミ箱。
【請求項５】
ゴミ袋載置面を上面に有する台座と、上下端が開口すると共に前記下端周縁部の一部が同台座上にヒンジを介して開閉自在に枢支連結されるゴミ袋収納筒体とを具備し、同ゴミ袋収納筒体を、上端より下端に向けて横断面積が漸次拡開するテーパ形状としたことを特徴とするゴミ箱。
【発明の詳細な説明】
【技術分野】
【０００１】
本発明は、公園、野外施設等において用いられるゴミ箱、特に、ゴミを大量に封入したゴミ袋を容易かつ確実にゴミ箱から取り外し、廃棄することを可能とするゴミ箱に関する。
【背景技術】
【０００２】
従来、上記した使用目的に供されるゴミ箱として、図７及び図８に示す形態のゴミ箱Bがある。
図示するように、ゴミ箱Bは、上端を開口した下方に向けて先細の有底筒体５０から構成されており、その底部５１の上面には、ゴミ袋５２を載置するためのゴミ袋載置面５３が形成されている。また、有底筒体５０の筒状部５４によって、ゴミ袋５２が収納保持されている。
【０００３】
しかし、上記した従来のゴミ箱Ｂは未だ以下の解決すべき課題を有していた。
筒状部５４が底部５１と一体的に形成されているため、ゴミが充填されているゴミ袋５２をゴミ箱Bから取り外すためには、重量物であるゴミ袋５２の全体を持ち上げる必要があり、このような作業は作業者に重労働を課すことになる。
ゴミ袋５２の一部が破れゴミがゴミ箱B内に飛散した場合、筒状部５４の開口部から手又は清掃具を差し込んで、ゴミを取り除く必要があり、このような作業は煩雑であり、また非衛生的なものとなる。
【発明の開示】
【発明が解決しようとする課題】
【０００４】
本発明は、上記した従来の問題点を解決し、重量物であるゴミ袋を持ち上げることなく容易かつ確実に取り出すことができ、ゴミ処理作業の簡便化を図ることができるゴミ箱を提供することを目的とする。
【課題を解決するための手段】
【０００５】
本発明の上記した目的を達成するためのゴミ箱の代表的な構成を列挙すると、以下の通りである。
【０００６】
（１）ゴミ箱は、ゴミ袋載置面を上面に有する台座と、同台座上に着脱自在に設置される上下端が開口したゴミ袋収納筒体とを具備し、同ゴミ袋収納筒体を、上端より下端に向けて横断面積が漸次拡開するテーパ形状としている。
このような構成とすることによって、特に、ゴミ袋収納筒体を、上端より下端に向けて横断面積が漸次拡開するテーパ形状としたので、ゴミ袋収納筒体を単に傾斜するだけでゴミ袋との接触状態から容易に開放できる。従って、ゴミ袋収納筒体を台座及びゴミ袋から容易かつ円滑に取り外すことができ、その後、台座上のゴミ袋を台座から略水平に取り外して容易に持ち運び、廃棄することができる。
また、ゴミ箱を二分割構造とすることによって、ゴミ箱の搬送及び設置を容易に行うことができる。さらに、ゴミ袋が破れた場合における飛散ゴミの処理を含め、ゴミ箱内部の清掃を容易に行うことができる。
【０００７】
（２）ゴミ袋収納筒体を、多数の透孔を有する網製筒体で形成することもできる。
このような構成とすることによって、ゴミ袋収納筒体の軽量化を図ることができ、かつ、ゴミ袋内のゴミの収納状況を多数の透孔を通して容易に視認でき、ゴミ袋の交換時期を容易に認識できる。
【０００８】
（３）ゴミ袋収納筒体を、上下方向に間隔をあけて同軸上に配置した複数の環状横桟部材と、前記複数の環状横桟部材の周方向に間隔をあけて配置し、環状横桟部材同士を連結する複数の縦桟部材とによって構成することもできる。
このような構成とすることによって、ゴミ袋収納筒体の軽量化を図ることができ、かつ、ゴミ袋内のゴミの収納状況を桟部材間の空間を通して容易に視認でき、ゴミ袋の交換時期を容易に認識できる。
【０００９】
（４）台座の上端周縁部に第1嵌合部を設け、ゴミ袋収納筒体の下端周縁部に、第1嵌合部と着脱自在に嵌合する前記第２嵌合部を設けたことを特徴とする。
このような構成とすることによって、台座へ容易かつ確実にゴミ袋収納筒体を連結してゴミ箱を組み立てることができるとともに、台座から容易かつ確実にゴミ袋収納筒体を取り外して、その後のゴミ袋の廃棄処理を容易に行うことができる。
【００１０】
（５）ゴミ袋載置面を上面に有する台座と、上下端が開口すると共に下端周縁部の一部が台座上にヒンジを介して開閉自在に枢支連結されるゴミ袋収納筒体とを具備し、ゴミ袋収納筒体を、上端より下端に向けて横断面積が漸次拡開するテーパ形状としたことを特徴とする。
このような構成とすることによって、ごみ袋収納筒体の下端周縁部を回転支点として、ごみ袋収納筒体を容易に開閉して、台座から容易かつ確実にゴミ袋収納筒体を取り外して、その後のゴミ袋の廃棄処理を容易に行うことができる。
【発明の効果】
【００１１】
このように、本発明では、ゴミ袋を持ち上げることなく容易かつ確実にゴミ箱から取り外すことができ、ゴミ処理作業の簡便化を図ることができる。
また、ゴミ箱を二分割構造とすることによって、搬送及び設置を容易に行うことができ、かつ、ゴミ箱内部の清掃を容易に行うことができる。
さらに、少なくともゴミ袋収納筒体を網状筒体または枠体構造とすることによって、ゴミ袋収納筒体の軽量化を図ることができ、この面からも、容易かつ確実にゴミ袋収納筒体を取り外して、その後のゴミ袋の廃棄処理を容易に行うことができる。
【発明を実施するための最良の形態】
【００１２】
以下、添付図面に示す実施の形態を参照しつつ、本発明をより詳細に説明する。
(第１の実施の形態)
本実施の形態に係るゴミ箱Ａについて、図１〜図３を参照して説明する。
図１及び図２に示すように、本実施の形態では、ゴミ箱Ａは、台座１０と、台座１０上に着脱自在に設置されるゴミ袋収納筒体１１とから構成される。
ここに、台座１０は、所定の幅と高さを有する環状枠体１２と、上面にゴミ袋載置面を形成する台板１３とによって構成される。
一方、ゴミ袋収納筒体１１は、上下端を開口するとともに、上端より下端に向けて横断面積が漸次拡開するテーパ形状を有する網製筒体から構成されている。ゴミ袋収納筒体１１は、台座１０と協働して、ゴミ袋１４をゴミ箱Ａ内に収納保持できる。
また、台座１０の上端外周縁は第１嵌合部を形成しており、ゴミ袋収納筒体１１の下端外周縁には、上記した第１嵌合部と嵌合する複数の板状の嵌合片１５からなる第２嵌合部が形成されている。
【００１３】
次に、図３を参照して、本実施の形態に係わるゴミ箱Ａの設置方法及び使用方法について説明する。
まず、公園等にゴミ箱Ａを設置するに際しては、ゴミ箱Ａを、台座１０とゴミ袋収納筒体１１に分解した状態で公園等まで搬送し、その後、台座１０の第２嵌合部にゴミ袋収納筒体１１の第１嵌合部を嵌合させることによって、組み立てることができる。このように、ゴミ箱Ａを分割した状態で設置箇所まで容易に搬送することができると共に、容易に組み立て、設置することができる。
次に、ゴミ箱Ａを設置後、図３（Ａ）に示すように、空のゴミ袋１４をゴミ箱Ａ内に装着すると共に、所定のクリップ等の袋係止具１７を用いて、ゴミ袋１４の上端縁をゴミ袋収納筒体１１の上端開口部の周縁部に係止する。
その後、図３（Ａ）に示すように、ゴミ袋１４がゴミでいっぱいになった場合は、作業者１６は、図３(Ｂ)に示すように、ゴミ袋収納筒体１１を傾斜させながら台座１０から分離すると共に、ゴミ袋１４より取り外す。
【００１４】
この際、前述したように、ゴミ袋収納筒体１１は、上端より下端に向けて横断面積が漸次拡開するテーパ形状を有するので、ゴミ袋収納筒体１１を持ち上げず、単に傾けるだけでゴミ袋１４より取り外すことができる。
その後、台座１０に載置されているゴミ袋１４を台座１０から取り外して廃棄することができる。
【００１５】
このように、本実施の形態では、ゴミ袋１４を容易かつ確実にゴミ箱Ａに装着することができると共に、ゴミ袋１４をゴミ箱Ａから容易かつ確実に取り外すことができる。
また、本実施の形態では、ゴミ箱Ａを二分割構造とすることによって、搬送及び設置を容易に行うことができる。さらに、ゴミ袋１４が破れた場合における飛散ゴミの処理を含め、ゴミ箱Ａ内部の清掃を容易に行うことができる。
さらに、本実施の形態では、ゴミ袋収納筒体１１を、多数の透孔を有する網製筒体で形成したので、ゴミ袋収納筒体１１の軽量化を図ることができ、かつ、ゴミ袋１４内のゴミの収納状況を多数の透孔を通して容易に視認でき、ゴミ袋１４の交換時期を容易かつ正確に認識できる。
【００１６】
(第２の実施の形態)
本実施の形態の形態は、ゴミ箱Ａ１を枠体構造としたことを特徴とする。
即ち、図４及び図５に示すように、本実施の形態においても、第１の実施の形態に係るゴミ箱Ａと同様に、ゴミ箱Ａ１に係るゴミ袋収納筒体２０は上端より下端に向けて横断面積が漸次拡開する筒体構造を有する。しかし、本実施の形態では、ゴミ袋収納筒体２０を、上下端を開口するとともに、上下方向に間隔をあけて同軸上に配置した複数の環状横桟部材２１、２２，２３と、複数の環状横桟部材２１，２２，２３の周方向に間隔をあけて配置し、環状横桟部材２１同士を連結する複数の縦桟部材２４とによって構成している。
同様に、本実施の形態では、上面にゴミ袋収納筒体２０を着脱自在に取り付ける台座２５も枠組構造を有している。即ち、台座２５は、内側環状桟部材２６と外側環状桟部材２７とを、周方向に間隔をあけて配置された複数の放射状桟部材２８で相互に連結することによって構成されている。
【００１７】
また、本実施の形態では、図５及び図６に示すように、台座２５の外側環状桟部材２７によって第１嵌合部を形成しており、ゴミ袋収納筒体２０の最下端の環状横桟部材２３に固着した複数のＵ字状の嵌合片２９によって上記した第１嵌合部と嵌合する第２嵌合部を形成している。
このような嵌合構造とすることによって、第２嵌合部を形成する複数のＵ字状の嵌合片２９を第１嵌合部を形成する台座２５の外側環状桟部材２７に嵌合するだけで、ゴミ袋収納筒体２０を、台座２５に容易に取り付けゴミ箱Ａ１を組み立てることができると共に、ゴミ袋収納筒体２０を台座２５から容易に取り外すことができる。
【００１８】
本実施の形態におけるゴミ箱Ａ１おいても、第１の実施の形態と同様に、台座２５に、上端より下端に向けて横断面積が漸次拡開する筒体構造を有するゴミ袋収納筒体２０が着脱自在に取り付けられている。従って、第１の実施の形態に係るゴミ箱Ａと同様に、単にゴミ袋収納筒体２０を傾けるだけで、ゴミ袋をゴミ箱Ａ１から容易かつ確実に取り外すことができる。
また、本実施の形態におけるゴミ箱Ａ１においても、ゴミ箱Ａ１を二分割構造とすることによって、搬送及び設置を容易に行うことができる。さらに、ゴミ袋が破れた場合における飛散ゴミの処理を含め、ゴミ箱Ａ１内部の清掃を容易に行うことができる。
さらに、本実施の形態では、ゴミ箱Ａ１を枠体構造としたので、ゴミ箱Ａの軽量化を図ることができ、さらに、ゴミ袋内のゴミの収納状況を桟部材間の空間を通して容易に視認でき、ゴミ袋の交換時期を容易に認識できる。
【００１９】
なお、以上、本発明を幾つかの実施の形態を参照して説明してきたが、本発明は上記した実施の形態に記載の構成に何ら限定されるものではなく、本発明の技術的思想を逸脱しない範囲で各種変容例が考えられるものである。
例えば、ゴミ袋載置面を上面に有する台座と、上下端が開口すると共に下端周縁部の一部が台座上にヒンジを介して開閉自在に枢支連結されるゴミ袋収納筒体とを具備し、ゴミ袋収納筒体を、上端より下端に向けて横断面積が漸次拡開するテーパ形状とした構成とすることができる。
このような構成とすることによって、ごみ袋収納筒体の下端周縁部を回転支点として、ごみ袋収納筒体を容易に開閉して、台座から容易かつ確実にゴミ袋収納筒体を取り外して、その後のゴミ袋の廃棄処理を容易に行うことができる。
また、上記した実施の形態では、ゴミ袋収納筒体の断面を円形断面としたが、三角形断面や四角形断面を含む多角形断面とすることもできる。
さらに、ゴミ袋収納筒体及び台座の材料としては、一定の機械的強度の確保及び腐食防止の観点からステンレス鋼やめっき金属線材を用いるのが好ましいが、プラスチックやセラミック等他の材料を用いることもできる。
【産業上の利用可能性】
【００２０】
本発明に係るゴミ箱は、公園や野外施設等において、好適に用いることができる。
【図面の簡単な説明】
【００２１】
【図１】本発明の第１の実施の形態に係るゴミ箱の斜視図。
【図２】本発明の第１の実施の形態に係るゴミ箱の正面図。
【図３】本発明の第１の実施の形態に係るゴミ箱の使用方法の説明図。
【図４】本発明の第２の実施の形態に係るゴミ箱の斜視図。
【図５】本発明の第２の実施の形態に係るゴミ箱の分解斜視図。
【図６】本発明の第２の実施の形態に係るゴミ箱の要部説明図。
【図７】従来例に係るゴミ箱の斜視図。
【図８】従来例に係るゴミ箱の正面図。
【符号の説明】
【００２２】
Ａ：ゴミ箱
Ａ１：ゴミ箱
Ｂ：ゴミ箱
１０：台座
１１：ゴミ袋収納筒体
１２：環状枠体
１３：台板
１４：ゴミ袋
１５：嵌合片
１６：作業者
１７：袋係止具
２０：ゴミ袋収納筒体
２１：環状横桟部材
２２：環状横桟部材
２３：環状横桟部材
２４：縦桟部材
２５：台座
２６：内側環状桟部材
２７：外側環状桟部材
２８：放射状桟部材
２９：嵌合片
【図１】
2005082261.tif 000003
【図２】
2005082261.tif 000004
【図３】
2005082261.tif 000005
【図４】
2005082261.tif 000006
【図５】
2005082261.tif 000007
【図６】
2005082261.tif 000008
【図７】
2005082261.tif 000009
【図８】
2005082261.tif 000010